(57)【特許請求の範囲】
【請求項１】
被施術者の頭部が位置する切り欠き部を有するケープ部と、切り欠き部の両側から延出する２つの足部と、を有し、
少なくとも前記ケープ部は吸水性を有する複数のシートを積層した構成であり、前記切り欠き部の内側に向かって防水シートまたは防水面を有するシートの内側縁が他のシートの内側縁から若干量はみ出したはみ出し部を有することを特徴とするパーマ用ケープ。
【請求項２】
前記はみ出し部のはみ出し量は、１ｍｍ以上５ｍｍ以下であることを特徴とする請求項１に記載のパーマ用ケープ。
【請求項３】
前記ケープ部の外周に立ち上がり部を設けたことを特徴とする請求項１または２のいずれか一つに記載のパーマ用ケープ。
【請求項４】
前記複数積層したシートは、中央層に対して裏面となるシートの直線部が表面となるシートのそれより長いことを特徴とする請求項１〜３のいずれか一つに記載のパーマ用ケープ。
【請求項５】
前記ケープ部は、使用時における被施術者の肩幅方向の大きさが、３０ｃｍ以上８０ｃｍ以下であることを特徴とする請求項１〜４のいずれか一つに記載のパーマ用ケープ。
【発明の詳細な説明】
【技術分野】
【０００１】  本発明は、パーマ被施術者の頭部に巻きつけてパーマ液から被施術者を保護するパーマ用ケープに関するものである。
【背景技術】
【０００２】  従来、パーマ施術時には、タオルを紐状に絞り、それを首筋の生え際から額の毛髪の生え際に巻きつけて、その巻きつけているタオルの両端と首筋のロットやタオルにゴム紐を輪状に結んだものを掛けて液垂れを防いでいた。しかし、かかるタオルを紐状としたものでは、液垂れが完全に防げないため、垂れてきた液を数回にわたり乾燥したタオルで拭かなければならなかった。また、タオルの吸水性には限度があり、パーマ液の液垂れ防止としてタオルを紐状に絞ったものを何度も取り替えなければならなかった。【０００３】  タオル以外のものとしては、例えば、臥床者をベッドの上で染髪する際に用いられる染髪具（特許文献１）や、襟部から髪の毛や水滴の侵入を防ぐ一般的によく使われている防水性のケープ（特許文献２）や、染髪の際に美容用品として使用する防水性シートのヘアーキャップ兼用ケープ（特許文献３）等が知られている。
【特許文献１】  特開２００５−２３０２４０号公報
【特許文献２】  特開２０００−０４１７３５号公報
【特許文献３】  特開２００４−２７０１３０号公報
【００００】
【発明の開示】
【発明が解決しようとする課題】
【０００４】  上記タオル以外のものを用いたとしても、ユーザの肌に密着する部分において、パーマ液の液垂れ防水が不十分であるという問題点があった。この発明は、上記問題点を解決するためになされたものである。
【発明を解決するための手段】
【０００５】  本発明のパーマ用ケープは、被施術者の頭部が位置する切り欠き部を有するケープ部と、切り欠き部の両側から延出する２つの足部と、を有し、少なくとも前記ケープ部は吸水性を有する複数のシートを積層した構成であり、前記切り欠き部の内側に向かって一のシートの内側縁が他のシートの内側縁から若干量はみ出したはみ出し部を有することを特徴とする。
【０００６】  一つのシートの内側縁が他のシートの内側縁からはみ出していることで、パーマ用ケープを被施術者の頭部に装着した際、当該はみ出し部が肌にフィットし、シールの如く作用する。これにより、パーマ液が当該シートと肌との間を通過し難くなり、パーマ液の液垂れを有効に防止できる。前記はみ出し部のはみ出し量は、１ｍｍ以上５ｍｍ以下とするのが好ましい。
【０００７】  また、この発明のパーマ用ケープは、上記パーマ用ケープにおいて、前記はみ出し部を有するシートは、防水シートまたは防水面を有するシートであることを特徴とする。
【０００８】  このシートに防水機能を与えることにより、パーマ液が当該シートよりも下層に浸透できなくなる。すなわち、防水シートであればその防水シート上側に重ねたシートでパーマ液が吸収され、防水面を有するシートであれば当該シート及びこのシートの上側に重ねたシートでパーマ液を吸収する。また、上記のように、パーマ液が当該シートと肌との間を通過し難くなる。これにより、パーマ液の液垂れを有効に防止できる。
【０００９】  また、この発明のパーマ用ケープは、上記パーマ用ケープにおいて、前記ケープ部の外周に立ち上がり部を設けたことを特徴とする。
【００１０】  この立ち上がり部は、ケープ部の上にたれたパーマ液が当該ケープ部の上面をつたってこぼれ落ちるのを防止する。
【００１１】  また、この発明のパーマ用ケープは、上記パーマ用ケープにおいて、前記複数積層したシートは、中央層に対して裏面となるシートの直線部が表面となるシートのそれより長いことを特徴とする。
【００１２】  すなわち、この発明のパーマ用ケープでは、使用状態で裏面側の曲率が小さくなるため、表面となるシートより裏面となるシートのほうを長くしている。これにより、パーマ用ケープを取り扱い易くなる。
【００１３】  また、この発明のパーマ用ケープは、上記パーマ用ケープにおいて、前記ケープ部は、使用時における被施術者の肩幅方向の大きさが、３０ｃｍ以上７０ｃｍ以下であることを特徴とする。
【００１４】  かかる大きさのパーマ用ケープは、子供から大人までの範囲で肩上をケープ部で覆うことができるので、パーマ液の液垂れ防止を有効に行える。
【発明を実施するための最良の形態】
【００１５】  図１は、本発明の実施例にかかるパーマ用ケープを示す平面図、図２乃至図５は、その構造を示す説明図である。この発明のパーマ用ケープ１００は、ケープ部１と、ケープ部１から延出する２本の足部２とから構成される。また、ゴムまたは伸縮性の布からなるバンド４の両端にクリップ５を有するサポートバンド３を有する。【００１６】  ケープ部１は、全体的にケープ形状であり、具体的には、円形の一部に略長方形（又は台形）の突出部分２ａを備えた電球形状或いは鍵穴形状をしており、突出部分２ａの図中下端の中央部から円中央付近まで切り欠き部６が形成される。この切り欠き部６は、全体的にみて長方形又は台形であり、ユーザの後頭部が位置する部分（切り欠き部奥６ａ）が当該後頭部に略沿った形の半円形若しくは逆Ｕ字形状となる（必ずしも一定の半径を持った円弧形状でなくても良い）。突出部分２ａには、切り欠き部６を設けた結果、２本の突出した帯状の足部２が形成される。即ち、切り欠き部６の両側から２つの足部２，２が延出した形状となる。このケープ部１の中央の前記半円形状の両端から足部２の先端にかけては、所定の角度αが与えられている。これにより、当該切り欠き部６は全体的に下辺が略円形の台形形状となる。なお、足部２の先端は、その角部２ｂに所定径の曲率が設けられている。【００１７】  図１に示すように、このケープ部１の直径Ｄ１は、子供から大人まで使用できるようにするため、３０ｃｍ以上８０ｃｍ以下とし、より好ましくは、４０ｃｍ以上６０ｃｍ以下とする。この寸法であれば、一般的なパーマ被施術者の肩上を覆うことができる。ケープ部１の形状が円形でなく、他の形状であっても、被施術者の肩幅方向に対して少なくとも当該寸法を有するようにする。更に、切り欠き部６の半円形状部分６ａの直径Ｄ２（又は逆Ｕ字形状部分の幅）は、１０ｃｍ以上２０ｃｍ以下であり、より好ましくは、１２ｃｍ以上１５ｃｍ以下とする。この寸法であれば、ケープ部に無理な変形を与えることなく、殆どの被施術者の頭部に足部２を巻きつけることができる。また、足部２の頭部に対する巻きつけ具合を調整することでケープ部１外周縁を皿状に跳ね上げるようにできる。前記ケープ部１の中心と、前記半円形状部分６ａの中心とは、略同じ位置とする。また、切り欠き部６から足部２にかけて設けられる角度αは、３度以上、１８度以下であり、より好ましくは５度以上９度以下とする。【００１８】  ケープ部全体の長さＬ１は、４０ｃｍ以上９０ｃｍ以下であり、より好ましくは５０ｃｍ以上７０ｃｍ以下とする。足部の長さＬ２は、８ｃｍ以上２０ｃｍ以下であり、より好ましくは１２ｃｍ以上１８ｃｍ以下とする。足部先端と足部先端との間隔Ｌ３は、１５ｃｍ以上２２ｃｍ以下であり、より好ましくは１８ｃｍ以上２０ｃｍ以下とする。また、各足部の先端の幅Ｌ４は、２ｃｍ以上６ｃｍ以下であり、より好ましくは３ｃｍ以上５ｃｍ以下とする。足部２先端から切り欠き部６の中心までの長さＬ５は、２０ｃｍ以上３３ｃｍ以下であり、より好ましくは２５ｃｍ以上３０ｃｍ以下とする。なお、上記各寸法は、本実施例における好適な寸法であるが、本発明がこれにより限定されるものではない。【００１９】  また、このパー���用ケープ１００は、図２に示すような７層積層構造となる。第１層、第７層（パーマ用ケープ１００の表層シート１０１，１０７）には、重量６８ｇ／ｍ２の不織布（成分：レーヨン５０％、ポリプロピレン（ＰＰ）５０％）を用いる。この第１層および第７層の表層シート１０１，１０７の形状は、図１に示した形状と同じである。また、この表層シート１０１，１０７は、他の吸水シート１０２，１０３，１０５，１０６及び防水シート１０４に比べて薄く、変形し易いものである。なお、表層シート１０１，１０７には、肌に対するさらさら感を持たせるために、液体の浸透性の高い素材を用いるのがより好ましく、例えばレーヨン、ＰＰ、ポリエチレン、ポリエステル、ナイロン等の単繊維か、或いはレーヨン、ＰＰ、ポリエチレン、ポリエステル、ナイロン等からなる複合繊維を用いた、撥水性の繊維からなる不織布や織布を用いることができる。撥水性の高い素材により構成することで、パーマ液を吸収した場合でも、吸水シートに吸収したパーマ液と肌とが直接接触するのを防止でき、かつ、肌触りをよく保てる。【００２０】  第２層、第３層、第５層、第６層を構成する各吸水シート１０２，１０３，１０５，１０６には、重量１８０ｇ／ｍ２の高分子吸収パット（成分；パルプ７０％、高分子ポリマー２０％複合繊維／Ｂｉｃｒｏ−Ｆｉｂｅｒ（ＰＰ＋ＰＥ）１０％）を２枚積層したものを用いる。この高分子ポリマーの吸水倍率は約２００倍、粒子は３００μｍ以上８００μｍ以下となる。この第２層、第３層、第５層、第６層の吸水シート１０２，１０３，１０５，１０６の形状は、全体的に略Ｕ字形状となり、Ｕ字の直線部２０が上記図１のシート部１から足部２にかけて位置することになり、縫製完了状態にてシート部１及び足部２内の吸収材料として機能する。なお、前記直線部２０が、前記足部２の対応部分となる。なお、当該吸水シート１０２，１０３，１０５，１０６の寸法は、表層シートの外側にはみ出ない程度の大きさである（詳細後述）。【００２１】  第４層の防水シート１０４は、重量２００ｇ／ｍ２の吸水シート層（成分；パルプ７０％、高分子ポリマー２０％、複合繊維／Ｂｉｃｒｏ−Ｆｉｂｅｒ（ＰＰ＋ＰＥ）１０％）の片面に、ポリエチレン（ＰＥ）０．０２ｍｍ塗装した防水シート層を形成した構造である。パーマ用ケープ１００を使用する際は、防水面である防水シート層が下側となるようにする。即ち、この防水シート１０４は、防水面が裏面となり、吸水面が表面となるため、パーマ用ケープ１００の使用時の吸水性を高めると共にそれより下層にパーマ液が浸透するのを防止できる。【００２２】  また、この防水シート１０４の形状は、第１層および第７層の表層シート１０１，１０７の足部２をカットした形状に相似する形状となる。即ち、全体を円形状としてその一部にＵ字形状の切り欠き部６０を設け、切り欠き部６０側の開口両端側に若干突出した突出部６２を有する形状となる。或いは、全体を円形状としてその一部にＵ字形状の切り欠き部６０を設けた単純形状でもよい。また、この防水シート１０４は、全体的に表層シート１０１，１０７と相似形状であるが、表層シート１０１，１０７の形状より若干小さく、表層シート縁から当該防水シート１０４の縁がはみ出ない程度の大きさとする。【００２３】  また、防水シート１０４は、第２層、第３層、第５層、第６層の吸水シート１０２，１０３，１０５，１０６よりも大きい。即ち、防水シート１０４の外縁は吸水シート１０２，１０３，１０５，１０６の外縁から大きくはみ出し、防水シート１０４の内縁は吸水シート１０２，１０３，１０５，１０６の内縁から若干はみ出すようになる（詳細後述）。なお、全体的に縫製に使用する糸には、ＰＥ６５％、綿３５％のものを用いる。また、第２層、第３層、第５層、第６層の吸水シート１０２，１０３，１０５，１０６がＵ字形状であり、防水シート１０４が当該吸水シートの外縁から大きくはみ出している、換言すれば、パーマ用ケープ１００の外周部分は、防水シート１０４、表層シート１０１，１０７が積層され、全体的な厚さがその内周部分（第２層、第３層、第５層、第６層の吸水シート１０２，１０３，１０５，１０６が積層されている）よりも薄くなっているので、自由に変形でき、よって図７及び図８に示すようにつば状に広げて使うこともできるし、或いは、被施術者の肩などに直に被せて使うこともできる。【００２４】  図３は、パーマ用ケープの足部方向の断面図である。同図に示すように、第１層及び第７層の足部２の縫い目（シート端縁から３ｍｍの位置）を基準とし、第２層の吸水シート１０２は、その直線部２２の先端までの距離ａが３ｃｍとなるようにする。第３層の吸水シート１０３は、前記縫い目を基準とし、その直線部２３の先端までの距離ｂが１２ｃｍとなるようにする。第４層の防水シート１０４は、前記縫い目を基準とし、その突出部６２（又は開口端部）の先端までの距離ｃが１３ｃｍとなるようにする。第５層の吸水シート１０５は、前記縫い目を基準とし、その直線部２５の先端までの距離ｄが１０ｃｍとなるようにする。第６層の吸水シート１０６は、その直線部２６の先端を前記縫目位置に合わせる。【００２５】  上記の寸法とした理由、即ち、対応する吸水シート層数が２層（第２層及び第６層の吸水シート１０２，１０６の２層）となっている理由は、パーマ用ケープ１００の足部２においては、パーマ施術上その吸水量はある程度少なくてもよいと考えられるため、また、足部の先端付近においては、使用時に先端同士を交差させて当該交差部分をクリップで留めるために本来の吸水機能を奏する必要性がないため、主に第２層及び第６層の（表層シート１０１，１０７直近の）吸水シート１０２，１０６による吸水で十分だからである。また、足部２の先端に向かって全体の厚さが薄くなっているほうが取り扱い易いためである。このため、第３層及び第５層の吸水シート１０３，１０５は、前記縫い目の基準から、それぞれ１２ｃｍ、１３ｃｍ後退したところにその端部を有する。【００２６】  次に、第２層と第６層との吸水シート１０２，１０６を比較したときに、第６層の吸水シート１０６のほうが若干長いのは、足部２の先端に向かって次第に薄くしていくためである。また、場合によっては、パーマ用ケープ１００を装着する際、全体的に湾曲させることになるところ、第６層の吸水シート１０６が湾曲時の外側となるため、その分長くする必要があるからである（第２層の吸水シート１���２ほうが使用時においてその曲率が大きくなるため、第６層の吸水シート１０６のほうを長くする）。第３層と第５層との吸水シート１０３，１０５を比較したときに、第５層の吸水シート１０５のほうが若干長いのも同様の理由による。要するに、中央層となる第４層の防水シート１０４の表裏面に配置する吸水シートは、裏面側の吸水シート１０５，１０６のほうを若干長くすることで、同効果を得ることができる。【００２７】  また、第４層の防水シート１０４は、図３に示したように、前記縫い目端部から１３ｃｍの位置にその端部が位置しているため、当該足部２では防水シート１０４による防水効果はない。これは、パーマ用ケープ１００を使用するときに、図８に示すように、先端の足部２同士を額付近で交差させ、交差部分をクリップ５で留めるようにしていることから、当該足部２の先端から１３ｃｍ程度の部分は、本発明のパーマ用ケープ１００として本来の機能を奏することを予定していないからである。但し、当該防水シート１０４の形状を、第１層及び第７層の表層シート１０１，１０７と相似形状（足部２の内部にも防水シートが配設され得る形状）にしても使用上の問題はない。【００２８】  図４は、ケープ部の、足部方向に対する直交方向の断面図である。同図に示すように、第１層及び第７層の表層シート１０１，１０７内に上記吸水シート１０２，１０３，１０５，１０６及び防水シート１０４を内包させるに先立ち、前記第２層から第６層までの吸水シート１０２，１０３，１０５，１０６及び防水シート１０４を積層し、第２層、第３層、第５層、第６層の吸水シート１０２，１０３，１０５，１０６のＵ字形状の内側縁の全部（又は一部）から、第４層の防水シートのＵ字形状の内側縁が、切り欠き部６の内側に向かってはみ出すように、当該第２層から第６層までを縫い合わせる。このはみ出し部１５０のはみ出し量ｅは、１ｍｍ以上５ｍｍ以下、好ましくは２ｍｍ以上３ｍｍ以下とする。そして、この縫い合わせた第２層から第６層までの吸水シート１０２，１０３，１０５，１０６及び防水シート１０４を、第１層及び第７層の表層シート１０１，１０７の間に挟んで、当該第１層及び第７層の表層シート１０１，１０７の周縁を縫い合わせる。これにより、第２層から第６層までの吸水シート１０２，１０３，１０５，１０６及び防水シート１０４は、第１層及び第７層の表層シート１０１，１０７の間に内包される。【００２９】  このはみ出し部１５０は、パーマ用ケープ１００を使用する際、被施術者の肌に対してシールのような効果を奏する。即ち、パーマ用ケープ１００を装着した際、切り欠き部６の内側周縁が被施術者の肌に当たることになるが、防水シート１０４の切り欠き部６０の内側縁が内側に向かってはみ出し部１５０を有しているため、第２層乃至第６層の吸水シート１０２，１０３，１０５，１０６よりも先に防水シート１０４の当該はみ出し部１５０が肌に当たる。より正確には、これら吸水シート１０２，１０３，１０５，１０６及び防水シート１０４は表層シート１０１，１０７に内包されているから、表層シート１０１，１０７を介して当該はみ出し部１５０が肌に当たることになる。【００３０】  そして、引き続き前記吸水シート１０��，１０３，１０５，１０６の内側縁が表層シート１０１，１０７を介して肌に当たることになるが、このときには前記はみ出し部１５０は吸水シート１０２，１０３，１０５，１０６の内側縁に押されつつ上下に折り曲がるか又はつぶれるなどし、表層シート１０１，１０７を介して肌に押し付けられ、肌に確実にフィットしている。このように、防水シート１０４のはみ出し部１５０が被施術者の肌に押し付けられることで、シール効果を奏し、パーマ液が当該防水シート１０４と肌との間を通過し難くなる。なお、パーマ液が防水シート１０４の下層につたわっても、第５層及び第６層の吸水シート１０５，１０６により吸収されるので、パーマ用ケープ１００を通って下方に漏れることはない。また、パーマ１液と２液とが混合したパーマ液が皮膚に当たるとかぶれを起こすことが知られているところ、パーマ１液が防水シート１０４の下層に至っても第５層及び第６層の吸水シートがこれを吸収し、表層シート１０７は上記の素材からなるために肌に対してさらさら感を保つように作用する。そして、パーマ２液を用いた場合も第５層及び第６層の吸水シート１０５，１０６でこれを吸収するから、パーマ１液とパーマ２液とが混合したパーマ液は当該吸水シート１０５，１０６で吸収され、且つ、表層シート１０７が肌に対して当該混合液が直接触れないように遮断するため、被施術者がかぶれることがない。【００３１】  また、図５に示すように、ケープ部１の外周円形部分の一部であり足部２の反対側には、三角形状の折り重ね部１６０が設けられる。折り重ね部１６０は、ケープ部１を半分に折ってその図中下端に斜めの縫い目１６１を入れることで形成する。この折り重ね部１６０は略直角三角形になりその縫い目１６１の深さｆは４ｃｍ、幅ｇは１．５ｃｍとする。この折り重ね部１６０によりケープ部１の周縁１ａが立ち上げる。この立ち上がり部１６２は、ある程度の量のパーマ液がケープ部１に垂れたときでも、立ち上がり部１６２にて止めてパーマ液を吸収する。また、図６に示すように、前記折り重ね部１６０を三箇所に設けるようにしてもよい。なお、一部に切り込みを入れ、その切り込み部の縁同士を重ねて縫い合わせることで、前記立ち上がり部を形成するようにしても良い（図示省略）。【００３２】  次に、この発明のパーマ用ケープ１００の使用方法を説明する。図７及び図８は、パーマ用ケープの使用状態を示す説明図である。まず、Ｕ字形状の切り欠き部６の弧形状の中央付近にサポートバンド３の一方のクリップ５を留める。続いて、Ｕ字形状の切り欠き部６を被施術者Ｐの頭部に対して後方から合わせ、首筋の生え際に当てるようにする。そして、足部２を頭部両側のフェイスラインに沿ってあてがい、足部先端同士を額上部にて交差させる。足部２は、被施術者Ｐの耳を覆うようになり、額の毛髪の生え際にかけて足部２を位置させる。次に、足部２の交差量を調整して、パーマ用ケープ１００の絞め具合を調整し、サポートバンド３を後頭部から頭頂部にかけて渡し、その他端に設けたクリップ５で、当該足部２の交差部分を留める。サポートバンド３は伸縮性の素材から構成されているから、頭のサイズが異なっても無理なく適合できる。【００３３】  このように、こ��発明のパーマ用ケープ１００は、装着が極めて簡単であり、サポートバンド３によって、パーマ用ケープ１００がずれ落ちるのを防止できる。また、パーマ用ケープ１００の装着状態で、ケープ部１は、図７及び図８に示すように肩上にて広がって、パーマ施術を行う領域（頭髪のある部位）とその他の領域（顔など）を明確に分離する。このようにしてパーマ用ケープ１００を装着することで、パーマ液が垂れてきても当該パーマ液が第１層の表層シート１０１、第２層及び第３層の吸収シート１０２，１０３、第４層の防水シート１０４の吸水シート層で吸収される。そして、第４層の防水シート層によりそれ以上の浸透が阻止される。これにより、こぼれたパーマ液は、これら第１層から第４層までの吸水手段で確実に吸収され、また、第４層の防水シート層により浸透を阻止されたパーマ液はこの防水シート層に沿って広がり、第４層の吸水シート層、第３層および第２層の吸水シート１０３，１０２に吸収されていく。【００３４】  防水シート１０４の下層となる、第５層および第６層の吸水シート１０５，１０６及び第７層の表層シート１０７は、パーマ用ケープ１００の吸水作用を補充し、より吸収を確実に行う。【００３５】  また、パーマ用ケープ１００の使用状態において被施術者Ｐの肌に対して前記切り欠き部６の端縁が当接するところ、記述したように、前記はみ出し部１５０が被施術者Ｐの肌に対して押し付けられてシール効果を奏するから、第４層の防水シート１０４から下層（第５層ないし第７層）にパーマ液が浸透するのを防止できる。【００３６】  また、この第４層の防水シート１０４よりも下層にパーマ液が浸透した場合、第５層及び第６層の防水シート１０５，１０６により当該パーマ液が吸収されるため、被施術者Ｐの肩等にパーマ液が液垂れすることはない。【００３７】  さらに、ケープ部１の周縁は立ち上がり部１６２が設けてあるから、仮に多量のパーマ液がこぼれ、表層シート１０１から下層に吸収される前に当該表層シート１０１上を流れた場合でも、この立ち上がり部１６２にて流れが阻止され且つ吸収されるから、パーマ液が外側にこぼれるのを防止できる。【００３８】  また、この発明のパーマ用ケープ１００は、パーマ液が効果的に吸収されるので、美容部員がパーマ液に触れる時間を極めて少なくでき、手荒れ等の問題を軽減できる。また、近年では、髪型・ロットの種類も多種多様化して、毛髪先のみのパーマをかける場合や、長いロットを縦に使用する髪型などのパーマをかける場合があり、かかる場合には、髪を巻いたロットが顔の近くや肩に吊り下がってしまう。従来のようにタオルを用いていると、タオルを巻き付けている部分からこれらがはみ出してしまっていたが、本発明によれば、ケープ部１を広げることで、ロット等がはみ出さないようにできる。このため、多種多様な髪型のパーマ施術に対応できる。更に、取り外しも、サポートバンド３を取り外すだけで簡単に行える。また、安価に製造可能なために使い捨てとでき、使用後に洗濯したりする手間が無くなる上、乾燥のための場所も取らない。【００３９】  なお、上記実施例の防水シートは、吸水シート層に防水シート層を設けた構成としたが、単なる防水シートとしてもよい（図示��略）。
【図面の簡単な説明】
【００４０】
【図１】  本発明の実施例にかかるパーマ用ケープを示す平面図である。
【図２】  図１に示したパーマ用ケープの構造を示す説明図である。
【図３】  パーマ用ケープの足部方向の断面図である。
【図４】  ケープ部の、足部方向に対する直交方向の断面図である。
【図５】  図１に示したパーマ用ケープの構造を示す説明図である。
【図６】  図１に示したパーマ用ケープの変形例を示す説明図である。
【図７】  パーマ用ケープの使用状態を示す説明図である。
【図８】  パーマ用ケープの使用状態を示す説明図である。
【符号の説明】
【００４１】１００  パーマ用ケープ
１  ケープ部
２  足部
３  サポートバンド
６  切り欠き部
１０１，１０７  表層シート
１０２，１０３，１０５，１０６  吸水シート
１０４  防水シート
１５０  はみ出し部
１６２  立ち上り部
【図１】
0004253698.tif 000002
【図２】
0004253698.tif 000003
【図３】
0004253698.tif 000004
【図４】
0004253698.tif 000005
【図５】
0004253698.tif 000006
【図６】
0004253698.tif 000007
【図７】
0004253698.tif 000008
【図８】
0004253698.tif 000009